(57)【特許請求の範囲】
【請求項１】
紙筒苗のような集合苗から列状に分離した苗を供給し二つの苗植付装置に受け渡して本圃に移植する移植機において、一箇所の苗受入部に二つの苗植付装置に向けて搬送する一対の搬送手段を設け、その一対の搬送手段の両方に渡る任意な位置に列状の苗を供給し、一対の搬送手段の間で供給された列状の苗の任意な位置で左右に分割し、一箇所の苗受入部に供給された苗を左右に分けて二つの苗植付装置に受け渡す移植機の苗供給方法。
【請求項２】
紙筒苗のような集合苗から列状に分離した苗を供給し二つの苗植付装置に受け渡して本圃に移植する移植機において、一箇所の苗受入部に互いに反対方向に回動する一対の苗受入ベルトを設け、一対の苗受入ベルトの送出端は各々の苗植付装置に連設し、列状の苗を一対の苗受入ベルトの両方に渡る任意な位置に供給し、一対の苗受入ベルトの間で供給された列状の苗の任意な位置で一対の苗受入ベルト又は分割装置により左右に分割し、一箇所の苗受入部に供給された苗を左右に分けて二つの苗植付装置に受け渡す移植機の苗供給装置。
【請求項３】
列状の苗を分割するのは一対の苗受入ベルトであり、供給された列状の苗の上に当板を位置させ、当板を苗ごと一対の苗受入ベルトに押し付けて苗を左右に分割する請求項２記載の移植機の苗供給装置。
【発明の詳細な説明】
【０００１】
【発明が属する技術分野】
本発明は、紙筒苗のような集合苗から列状に分離した苗を供給し二つの苗植付装置に受け渡して本圃に移植する移植機において、一箇所の苗受入部に供給された苗を左右に分けて二つの苗植付装置に受け渡す移植機の苗供給方法及び苗供給装置に関する。
【０００２】
【従来の技術】
複数条を植え付ける移植機において、装置を小型化するために一つの苗供給装置から二つの苗植付装置に受け渡すものや、作業者を減らすために一つの苗受入装置から二つの苗植付装置に受け渡すものが知られている。
【０００３】
装置を小型化するために、一箇所の苗受入部に供給された苗を左右に分割して二つの苗植付装置に受け渡す移植機の苗供給装置は、実公平１−４２９７８号として提案されている。
【０００４】
この移植機の苗供給装置は、苗箱から押出された横一列の苗を互いに反対方向に回動する一対の搬送ベルトに受け、これら搬送ベルトの端縁から左右の植付装置に分割供給するように構成されている。そして、苗載台上に苗箱のまま搭載されたポット苗の葉絡みを苗箱中央部で分離するよう、苗載台に対向させて葉絡み分離板を設け、一対の搬送ベルトに同数の苗を供給している。
【０００５】
苗載台と一対の搬送ベルトの間に往復動する苗受けアームが設けられ、苗載台後方から押出杆が苗箱の横一列のポット苗を前方に押出し、苗受けアームがこれを受けて搬送ベルト上面に載置する。
【０００６】
また作業者を減らすために、一つの苗受入装置に供給された苗を振分けて二つの苗植付装置に受け渡す移植機の苗供給方法及び装置は、特公平５−４４２４４号として提案されている。
【０００７】
この移植機の苗供給方法及び装置は、一つの苗受入装置としての一本のベルトに横一列の苗を受け入れ、個々の苗に分離して離間させ、苗選別整列装置で欠株苗を除去した後に密着整列させ、再び離間させて検知手段で個々の苗を検知して振分け部体を制御し、その振分け部体により二つの苗植付装置に交互に個々の苗を振分けて受け渡すものである。
【０００８】
上記移植機の苗受入装置に供給される苗は、紙筒苗のような集合苗から横一列に列状に分離した苗であり、列状に分離するには実公平３−２７３７４号に示されるような、当板と当板に支架されて回動する円弧状針による分離具を用いる。
【０００９】
【発明が解決しようとする課題】
前記従来の技術の、特公平５−４４２４４号の苗受入装置に供給される紙筒苗のような集合苗から横一列に列状に分離した苗は、個々の苗相互が紙筒部で分離可能に結合されていて、所要の力を加えないと分離されない。
【００１０】
そのため、上記従来例では個々の苗に分離し離間した後、二つの苗植付装置に交互に個々の苗を振分けて受け渡すようにしているが、その振分け部体としての翼辺付きローラが一個一個の苗に対応して左右に回動して苗を左右に振分けるため、翼辺付きローラの左右回動速度に限界があるため自ずと移植速度が制限される。また、一個一個の苗が左右に交互に振分けられ、苗が急激に搬送方向を変えられるため、紙筒中の培土が振り落とされるなどの苗傷みが生ずる。
【００１１】
また、作業者が増えても一つの苗受入装置としての一本のベルトに横一列の苗を受け入れるものであるため、苗の供給は一箇所でしか行えず、作業能率を向上させることはできない。
【００１２】
さらに、実公平１−４２９７８号に示されるような、互いに反対方向に回動する一対の搬送ベルトの両方に渡って苗を供給する方法も考えられるが、上記結合した列状苗を単に載せても、一対の搬送ベルトの接合部から分割されるとは限らず、結合の弱い部分から分割されたり、全く分割されずに苗が進行しないことも想定される。また、苗選別整列装置で欠株苗を除去した後に密着整列させる場合には、欠株苗が左右に同数供給されるとは限らず、一対の搬送ベルトに同数の苗を供給したのでは過不足が生じてしまう。
【００１３】
なお、上記実公平１−４２９７８号には一対の搬送ベルトの接合部上方に位置する葉絡み分離板が示されているが、葉絡み分離板は苗載台に対向させて設けられ、葉絡み分離板と搬送ベルトの間に苗受けアームが設けられ、押出杆がポット苗を前方に押出す前に苗箱のまま搭載されたポット苗の葉絡みを苗箱中央部で分離するものであって、上記結合した列状苗を分割することはできない。
【００１４】
そこで本発明は、一箇所の苗受入部に苗を受け入れた後直ちに左右に分けて二つの苗植付装置に受け渡すことにより、移植速度の制限や苗傷みを発生させること無く、作業者が増えた場合には二箇所に苗を供給できる、移植機の苗供給方法及び苗供給装置を提供することを目的とする。
【００１５】
【課題を解決するための手段】
請求項１の発明による移植機の苗供給方法は、紙筒苗のような集合苗Ｐから列状に分離した苗Paを供給し二つの苗植付装置10a，10bに受け渡して本圃に移植する移植機において、一箇所の苗受入部２に二つの苗植付装置10a，10bに向けて搬送する一対の搬送手段3a，3bを設け、その一対の搬送手段3a，3bの両方に渡る任意な位置に列状の苗Paを供給し、一対の搬送手段3a，3bの間で供給された列状の苗Paの任意な位置で左右に分割し、一箇所の苗受入部２に供給された苗Paを左右に分けて二つの苗植付装置10a，10bに受け渡すものである。
【００１６】
請求項２の発明による移植機の苗供給装置は、紙筒苗のような集合苗Ｐから列状に分離した苗Paを供給し二つの苗植付装置10a，10bに受け渡して本圃に移植する移植機において、一箇所の苗受入部２に互いに反対方向に回動する一対の苗受入ベルト3a，3bを設け、一対の苗受入ベルト3a，3bの送出端は各々の苗植付装置10a，10bに連設し、列状の苗Paを一対の苗受入ベルト3a，3bの両方に渡る任意な位置に供給し、一対の苗受入ベルト3a，3bの間で供給された列状の苗Paの任意な位置で一対の苗受入ベルト3a，3b又は分割装置４，20により左右に分割し、一箇所の苗受入部２に供給された苗Paを左右に分けて二つの苗植付装置10a，10bに受け渡すものである。
【００１７】
請求項３の発明による移植機の苗供給装置は、列状の苗Paを分割するのは一対の苗受入ベルト3a，3bであり、供給された列状の苗Paの上に当板31を位置させ、当板31を苗Paごと一対の苗受入ベルト3a，3bに押し付けて苗Paを左右に分割するものである。
【００１８】
【発明の実施の形態】
請求項１の発明では、一対の搬送手段3a，3bの両方に渡る任意な位置に列状の苗Paを供給し、一対の搬送手段3a，3bの間で供給された列状の苗Paの任意な位置で左右に分割するから、一箇所の苗受入部２に苗Paを供給した後直ちに左右に分割される。
【００１９】
また、一対の搬送手段3a，3bの各々に供給する苗Paの本数を任意に変えることができる。またさらに、一対の搬送手段3a，3bの各々二箇所に苗Paを供給することもできる。
【００２０】
請求項２の発明では、列状の苗Paを一対の苗受入ベルト3a，3bの両方に渡る任意な位置に供給し、一対の苗受入ベルト3a，3bの間で供給された列状の苗Paの任意な位置で一対の苗受入ベルト3a，3b又は分割装置４，20により左右に分割するから、一箇所の苗受入部２に苗Paを供給した後直ちに左右に分割する。
【００２１】
また、一対の苗受入ベルト3a，3bの各々に供給される苗Paの本数を任意に変えることができる。またさらに、一対の苗受入ベルト3a，3bの各々二箇所に苗Paを供給することもできる。
【００２２】
請求項３の発明では、列状の苗Paを分割するのは一対の苗受入ベルト3a，3bであり、供給された列状の苗Paの上に当板31を位置させ、当板31を苗Paごと一対の苗受入ベルト3a，3bに押し付けて苗Paを左右に分割するから、分離具30などの当板31に苗Paを沿わせたまま苗受入ベルト3a，3bに押し付けると、苗Paは当板31と苗受入ベルト3a，3bに挟まれ、苗受入ベルト3a，3bの回動により回転するように分割される。
【００２３】
【実施例】
以下、本発明の一実施例を図面を参照して説明する。
【００２４】
集合苗Ｐとして、紙筒集合育苗容器による根部が培土に覆われた紙筒苗Paを示している。この紙筒集合育苗容器は、展開すると六角柱状の上下が開口した多数の紙筒を、整然と糊で貼り合わせたものである。この紙筒中に培土を詰めて播種して育苗すると苗が生長して紙筒集合苗Ｐとなり、移植時には適度の連結強度を保って個々の苗Paに分離可能に整然と連結している。
【００２５】
そして、紙筒集合育苗容器による分離された個々の苗Paは培土が紙筒に包まれているが、衝撃を与えると培土が緩み抜けて根痛みを発生させることがある。
【００２６】
集合苗Ｐから横一列の列状の苗Paに分離する分離具30は、集合苗Ｐの側面に沿わせる当板31と、当板31の背面に支架されて回動する多数の円弧状針32と、当板31の背面中央の把手33と、円弧状針32を回動させるハンドル34とからなる。
【００２７】
作業者は把手33とハンドル34を持ち、当板31を集合苗Ｐの側面に沿わせ、円弧状針32を集合苗Ｐの紙筒上面から突き刺し、分離具30を手前下方に傾けて横一列の苗Paの全体を反らせて分離する。横一列に列状に分離した苗Paは、個々の苗相互が紙筒の六角の辺で結合されている。
【００２８】
分離した苗Paは、分離具30と共に苗供給装置１の苗受入部の上に苗Paを倒置して載せてから分離具30の円弧状針32を抜く。このとき、ハンドル34で円弧状針32を抜く反動で、作業者は意識することなく自然に当板31の把手33を苗受入部に押し付ける。
【００２９】
つぎに、列状に分離した苗Paを供給する苗供給装置１と、苗供給装置１が二つの苗植付装置10a，10bに受け渡し、苗植付装置10a，10bが本圃に移植する、二条を一度に本圃に移植する二畦用の移植機について説明する。
【００３０】
図１は機枠の記載を省略した移植機であり、トラクターに取り付けられて牽引され、図示手前方向に進行する。上方の苗供給装置１には、左右一対の苗供給装置枠5a，5bが設けられ、苗供給装置枠5a，5bは機枠に固定される。
【００３１】
苗供給装置枠5a，5bの下方に左右一対の苗植付装置10a，10bを設け、二つの苗植付装置10a，10bには各々前後方向に長い植付装置枠11a，11bを設ける。
【００３２】
植付装置枠11a，11bはその前端が機枠の左右に長い牽引杆に係止され、その後端側は圃場の凹凸により自由に上下する。植付装置枠11a，11bの下方にオープナー12と、植付装置枠11a，11bの左右に一対の鎮圧輪13と、植付装置枠11a，11b内に一対のゴム円盤14が設けられ、これらオープナー12と鎮圧輪13とゴム円盤14により苗Paを本圃に移植する。鎮圧輪13は圃面に接地していて機枠の進行により回転して装置の動力を供給する。
【００３３】
苗供給装置枠5a，5bから、一箇所の苗受入部２に二つの苗植付装置10a，10bに向けて搬送する一対の搬送手段としての一対の苗受入ベルト3a，3bを設ける。
【００３４】
苗供給装置枠5a，5bから左右一対の苗受入ベルト枠6a，6bを設け、苗受入ベルト枠6a，6bの両端に設けたプーリーの間に苗受入ベルト3a，3bを掛け渡す。一対の苗受入ベルト3a，3bはその上面が水平な一直線状とし、互いに反対方向つまりその上面が外側に回動し、各苗受入ベルト3a，3bの長さは横一列に分離した苗Paの幅より長くし、一対の苗受入ベルト3a，3bの送出端はベルト等を介して各々の苗植付装置10a，10bに連結される。
【００３５】
苗受入ベルト3a，3bの搬送始端の間はできるだけ狭くし、分割装置４，20を用いる場合は分割装置４，20が収まるようできるだけ狭くし、苗受入ベルト3a，3bの幅は苗Paの紙筒部と葉部の全部が載る広い幅とする。
【００３６】
苗受入ベルト3a，3bの機械進行方向前側、つまり苗Paの根先側にゲージ板7a，7bを設ける。ゲージ板7a，7bは苗受入ベルト枠6a，6bに固定され、ゲージ板7a，7bは苗受入ベルト3a，3bに列状に分離した苗Paを供給するに際し、苗Paの根先を当てて苗Paが苗受入ベルト3a，3bの所定位置に載るようにする。
【００３７】
まず第一実施例として、図５および図６に示す、一対の搬送手段としての一対の苗受入ベルト3a，3bのみにより分割し、別な分割装置４，20を用いないものについて説明する。
【００３８】
列状の苗Paを分割するのは一対の苗受入ベルト3a，3bであり、一対の苗受入ベルト3a，3bの間に苗を左右に分ける分割装置４，20は設けない。供給された列状の苗Paの上に当板31を位置させ、当板31を苗Paごと一対の苗受入ベルト3a，3bに押し付けて苗Paを左右に分割する。
【００３９】
つぎに第二実施例として、図３および図４に示す、一対の搬送手段としての一対の苗受入ベルト3a，3bの間に位置し、苗Paを左右に分ける分割装置としての分割板４について説明する。
【００４０】
分割板４は機械進行方向に長く、垂直方向に薄い略板状のもので、その両端は左右一対の苗受入ベルト枠6a，6bの間に固定される。分割板４は苗受入ベルト3a，3bの上面より上方に突出させ、突出高さは苗Paの紙筒直径よりやや大とする。
【００４１】
分割板４の苗受入ベルト3a，3bの上面より上方に突出させた部分の長さは、苗受入ベルト3a，3bの幅とほぼ同じとする。分割板４の上端部は薄い板状で、中間部は分割板４と苗受入ベルト3a，3bの搬送始端との間に苗Paが滞らないよう膨らんだ略三角形状とし、下端部は苗受入ベルト3a，3bの搬送始端に接触しないよう薄くする。
【００４２】
つぎに第三実施例として、図７から図９に示す、一対の搬送手段としての一対の苗受入ベルト3a，3bの間に位置し、苗Paを左右に分ける分割装置としての分割装置20について説明する。
【００４３】
分割装置20として、苗受入ベルト3a，3bの上面より上方に突出した一対の左右分割板21a，21bと、左右分割板21a，21bを取り付ける一対の左右分割アーム22a，22bと、苗受入ベルト枠6a，6bに固定され左右分割アーム22a，22bを取り付ける左右分割枠23と、一対の左右分割アーム22a，22bの間に取り付けられ一対の左右分割板21a，21bを閉じる方向に付勢するバネ24を設ける。
【００４４】
左右分割板21a，21bは閉じた状態の正面視で、中央が上方に突出した三角山形状で、その頂点が苗受入ベルト3a，3bの上面より苗Paの紙筒直径の半分程度の高さ突出させる。左右分割板21a，21bは機械進行方向に長く、その長さは苗Paの紙筒部の長さとほぼ同じとし、苗受入ベルト3a，3bに載せられる苗Paの紙筒部の位置に対応させる。
【００４５】
左右分割枠23は、一対の苗受入ベルト枠6a，6bの苗受入ベルト3a，3b搬送始端部下方に固定される。左右分割枠23には、側面視で上方開口の「コ」の字形状の一対の固定部23aと、一対の固定部23aの間を連結し垂直方向に薄い板である連結部23bを前後に二枚設ける。そして一対の固定部23aの上端が苗受入ベルト枠6a，6bに固定される。
【００４６】
左右分割アーム22a，22bは、正面視で略「し」の字形状で前後に二枚設けられ、その上端の前後の間に左右分割板21a，21bを固定し、その下端部は互いに交差して苗受入ベルト3a，3bの搬送始端の間を通って反対方向に向かい、左右分割枠23の連結部23bの両端にその上端が左右に自由に回転するよう取り付ける。つまり、右分割板21aの右分割アーム22aは左側の苗受入ベルト3bの搬送始端部下方に向かい、左分割板21bの左分割アーム22bは右側の苗受入ベルト3aの搬送始端部下方に向かっている。
【００４７】
左右分割アーム22a，22bの上端が苗受入ベルト3a，3bの回動方向に自由に回転し、その上端に固定した左右分割板21a，21bは左右分割アーム22a，22bの回転により開閉する。なお、左右分割アーム22a，22bを交差させたことにより、左右分割板21a，21bの頂点は閉じたときの方が開いたときより高くなる。
【００４８】
左右分割アーム22a，22bはその回転支点より下方で各々前後の二枚が連結され、左右分割アーム22a，22bの回転支点より下方の連結部の間に引張バネ24を掛け渡す。この引張バネ24により、右分割アーム22aの上端は左側に付勢され、左分割アーム22bの上端は右側に付勢され、その上端に固定した左右分割板21a，21bは閉じる方向に付勢される。
【００４９】
以上により、左右分割板21a，21bは上方から押されると左右に開き、放すと自然に閉じる。
【００５０】
つぎに、苗供給装置１を装備した移植機の作動をその効果とともに説明する。
【００５１】
第一実施例の作業者が一人の場合は、立垂状態の集合苗Ｐから分離具30により苗Paを列状に分離し、一箇所の苗受入部２としての一対の苗受入ベルト3a，3bの両方に渡って倒置して供給する。
【００５２】
供給に際しては、列状の苗を苗受入ベルト3a，3bの両方に均等に供給するのではなく、苗Paが不足がちな方に多い本数となるよう任意な位置に寄せて供給する。そして、苗受入ベルト3a，3bの上に苗Paを載せてから分離具30の円弧状針32を抜く。
【００５３】
このとき、列状の苗Paを一対の苗受入ベルト3a，3bの両方に渡る任意な位置に供給し、一対の苗受入ベルト3a，3bの間で供給された列状の苗Paの任意な位置で一対の苗受入ベルト3a，3bにより左右に分割し、一箇所の苗受入部２に苗Paを供給した後直ちに左右に分割するから、苗Paを交互に振分けることによる移植速度の制限や苗傷みを発生させること無く、一人の作業者あるいは一つの苗供給装置で二条を同時に植え付けできる。
【００５４】
また、一対の苗受入ベルト3a，3bの各々に供給される苗Paの本数を任意に変えることができるから、二つの苗植付装置10a，10bに苗Paの過不足なく供給できる。
【００５５】
また、列状の苗Paを分割するのは一対の苗受入ベルト3a，3bであり、供給された列状の苗Paの上に当板31を位置させ、当板31を苗Paごと一対の苗受入ベルト3a，3bに押し付けて苗Paを左右に分割し、分離具30などの当板31に苗Paを沿わせたまま苗受入ベルト3a，3bに押し付けると、苗Paは当板31と苗受入ベルト3a，3bに挟まれ、苗受入ベルト3a，3bの回動により回転するように分割されるから、従来と同じ単純な苗供給作業のみで左右に分割され、作業者に負担を強いない。
【００５６】
第一実施例の作業者が二人の場合は、立垂状態の集合苗Ｐから分離具30により苗Paを列状に分離し、二箇所の苗受入部２としての一対の苗受入ベルト3a，3bの各々に倒置して供給する。
【００５７】
このとき、一対の苗受入ベルト3a，3bの各々二箇所に苗Paを供給するから、各作業者が互いに無関係に別個に作業でき、作業者が増えると作業能率を向上させることができる。
【００５８】
第二実施例の作業者が一人の場合は、立垂状態の集合苗Ｐから分離具30により苗Paを列状に分離し、一箇所の苗受入部２としての一対の苗受入ベルト3a，3bの両方に渡って倒置して供給する。
【００５９】
供給に際しては、列状の苗を苗受入ベルト3a，3bの両方に均等に供給するのではなく、苗Paが不足がちな方に多い本数となるよう任意な位置に寄せて供給する。そして、分割板４の上に苗Paを載せてから分離具30の円弧状針32を抜く。
【００６０】
このとき、一対の苗受入ベルト3a，3bの各々に供給される苗Paの本数を任意に変えることができるから、二つの苗植付装置10a，10bに苗Paの過不足なく供給できる。
【００６１】
第二実施例の作業者が二人の場合は、立垂状態の集合苗Ｐから分離具30により苗Paを列状に分離し、分割板４を使用しないで、二箇所の苗受入部２としての一対の苗受入ベルト3a，3bの各々に倒置して供給する。
【００６２】
このとき、一対の苗受入ベルト3a，3bの各々二箇所に苗Paを供給するから、各作業者が互いに無関係に別個に作業でき、作業者が増えると作業能率を向上させることができる。
【００６３】
第三実施例の作業者が一人の場合は、立垂状態の集合苗Ｐから分離具30により苗Paを列状に分離し、一箇所の苗受入部２としての一対の苗受入ベルト3a，3bの両方に渡って倒置して供給する。
【００６４】
供給に際しては、列状の苗を苗受入ベルト3a，3bの両方に均等に供給するのではなく、苗Paが不足がちな方に多い本数となるよう任意な位置に寄せて供給する。そして、分割装置20の上に苗Paを載せてから分離具30の円弧状針32を抜く。
【００６５】
このとき、一対の苗受入ベルト3a，3bの各々に供給される苗Paの本数を任意に変えることができるから、二つの苗植付装置10a，10bに苗Paの過不足なく供給できる。
【００６６】
第三実施例の作業者が二人の場合は、立垂状態の集合苗Ｐから分離具30により苗Paを列状に分離し、分割装置20を使用しないで、二箇所の苗受入部２としての一対の苗受入ベルト3a，3bの各々に倒置して供給する。
【００６７】
このとき、一対の苗受入ベルト3a，3bの各々二箇所に苗Paを供給するから、各作業者が互いに無関係に別個に作業でき、作業者が増えると作業能率を向上させることができる。
【００６８】
つぎに、一対の苗受入ベルト3a，3bの送出端に達した苗Paは、個々の苗に分離されて下方に搬送され、続いて水平反対方向に搬送され、苗選別装置により苗Pa列から葉の生えていない不良苗を除去し、苗整列装置により間隔の不揃いになった苗Pa列を一旦密着整列させた後、所定間隔毎に離間させて一対の縦搬送ベルトにより苗Paを苗植付装置10a，10bに受け渡し、本圃に移植される。
【００６９】
以上の実施例では、苗Paとして紙筒集合育苗容器による紙筒集合苗Ｐのものを示したが、育苗培地そのものが育苗容器を形成している無機物繊維や高分子化合物によるものでも、育苗容器から取り出された苗でも、個々の苗相互が結合しているものであれば良い。
【００７０】
また、作業者が分離具30を使用して手で苗Paを供給する例を示したが、自動供給装置により機械的に供給するようにしても良い。
【００７１】
また、一対の搬送手段あるいは一対の苗受入ベルトとして幅広の苗受入ベルト3a，3bによる例を示したが、複数本のベルトとしても良く、チェーンコンベアやローラーコンベアのような搬送手段としても良い。
【００７２】
また、苗植付装置10a，10bとしてオープナー12と鎮圧輪13とゴム円盤14による例を示したが、ベルトや自由落下により植え付けるようにしても良い。
【００７３】
【発明の効果】
請求項１の発明によれば、一対の搬送手段の両方に渡る任意な位置に列状の苗を供給し、一対の搬送手段の間で供給された列状の苗の任意な位置で左右に分割し、一箇所の苗受入部に苗を供給した後直ちに左右に分割されるから、苗を交互に振分けることによる移植速度の制限や苗傷みを発生させること無く、一人の作業者あるいは一つの苗供給装置で二条を同時に植え付けできる。
【００７４】
また、一対の搬送手段の各々に供給する苗の本数を任意に変えることができるから、二つの苗植付装置に苗の過不足なく供給できる。
【００７５】
またさらに、一対の搬送手段の各々二箇所に苗を供給することもできるから、各作業者が互いに無関係に別個に作業でき、作業者が増えると作業能率を向上させることができる。
【００７６】
請求項２の発明によれば、列状の苗を一対の苗受入ベルトの両方に渡る任意な位置に供給し、一対の苗受入ベルトの間で供給された列状の苗の任意な位置で一対の苗受入ベルト3a，3b又は分割装置４，20により左右に分割し、一箇所の苗受入部に苗を供給した後直ちに左右に分割するから、苗を交互に振分けることによる移植速度の制限や苗傷みを発生させること無く、一人の作業者あるいは一つの苗供給装置で二条を同時に植え付けできる。
【００７７】
また、一対の苗受入ベルトの各々に供給される苗の本数を任意に変えることができるから、二つの苗植付装置に苗の過不足なく供給できる。
【００７８】
またさらに、一対の苗受入ベルトの各々二箇所に苗を供給することもできるから、各作業者が互いに無関係に別個に作業でき、作業者が増えると作業能率を向上させることができる。
【００７９】
請求項３の発明によれば、列状の苗を分割するのは一対の苗受入ベルトであり、供給された列状の苗の上に当板を位置させ、当板を苗ごと一対の苗受入ベルトに押し付けて苗を左右に分割し、分離具などの当板に苗を沿わせたまま苗受入ベルトに押し付けると、苗は当板と苗受入ベルトに挟まれ、苗受入ベルトの回動により回転するように分割されるから、従来と同じ単純な苗供給作業のみで左右に分割され、作業者に負担を強いない。
【図面の簡単な説明】
【図１】移植機の苗供給方法及び苗供給装置の一実施例を示す正面図である。
【図２】その平面図である。
【図３】図１の要部を示す部分拡大図である。
【図４】図２の要部を示す部分拡大図である。
【図５】図３の別な実施例を示す図である。
【図６】図５の平面図である。
【図７】図３のさらに別な実施例を示す図である。
【図８】図７の作動を示す図である。
【図９】図７の平面図である。
【図１０】分離具の側面図である。
【図１１】図１０の正面図である。
【図１２】集合苗の平面図である。
【符号の説明】
２  苗受入部
3a，3b  搬送手段としての苗受入ベルト
10a，10b  苗植付装置
31  当板
Ｐ  集合苗
Pa  苗
【図１】
0003541024.tif 000002
【図２】
0003541024.tif 000003
【図３】
0003541024.tif 000004
【図４】
0003541024.tif 000005
【図５】
0003541024.tif 000006
【図６】
0003541024.tif 000007
【図７】
0003541024.tif 000008
【図８】
0003541024.tif 000009
【図９】
0003541024.tif 000010
【図１０】
0003541024.tif 000011
【図１１】
0003541024.tif 000012
【図１２】
0003541024.tif 000013